(57)【特許請求の範囲】
【請求項１】
再生専用情報が、エンボスピットの形成によって予め記録された再生専用エリアと、
記録情報を記録可能なデータエリアと、
前記再生専用エリアの位置に関する第１位置情報が、エンボスピットの形成によって予め記録された第１管理エリアと、
（ｉ）前記第１位置情報に加えて、又は、代えて（ｉｉ）前記データエリアに有される、前記記録情報の一部又は全部が書き換え禁止である書き換え禁止エリアの位置に関する第２位置情報を記録可能な第２管理エリアと
を備え、
前記再生専用エリア、及び前記第１管理エリアのうち少なくとも一方は、プリピット（ＬＰＰ：LandPrePit）が予め形成されていないと共に、
前記第２管理エリアにおいては、前記第１又は第２位置情報として、（ｉ）前記再生専用エリア又は前記書き換え禁止エリアの開始位置を示す開始アドレス、（ｉｉ）前記再生専用エリア又は前記書き換え禁止エリアの終了位置を示す終了アドレス、及び（ｉｉｉ）前記開始アドレス、及び前記終了アドレスが、前記再生専用エリアに対応されるのか、又は、前記書き換え禁止エリアに対応されるのかを示す識別情報が記録可能であり、
前記記録情報は、コンテンツデータを含み、
前記再生専用情報は、前記コンテンツデータの再生を制御する再生制御情報の一部を含み、
前記書き換え禁止エリアには、前記再生制御情報の他部が含まれることを特徴とする情報記録媒体。
【請求項２】
前記再生専用エリア、及び前記第１管理エリアのうち少なくとも一方は、同期信号が予め記録されていることを特徴とする請求項１に記載の情報記録媒体。
【請求項３】
前記第１管理エリアにおいては、前記第１位置情報として、（ｉ）前記再生専用エリアの開始位置を示す開始アドレス、並びに、（ｉｉ−１）前記再生専用エリアの終了位置を示す終了アドレス、又は（ｉｉ−２）前記再生専用エリアの記録容量が予め記録され、
前記第２管理エリアにおいては、前記第２位置情報として、（ｉｉｉ）前記第１位置情報に加えて、（ｉｖ）前記書き換え禁止エリアの開始位置を示す開始アドレス、並びに、（ｖ−１）前記書き換え禁止エリアの終了位置を示す終了アドレス、又は（ｖ−２）前記書き換え禁止エリアの記録容量が記録可能であることを特徴とする請求項１又は２に記載の情報記録媒体。
【請求項４】
前記第２管理エリアは、（ｉ）前記第１位置情報を記録するための一のフィールド、及び（ｉｉ）前記第２位置情報を記録するための他のフィールドを有することを特徴とする請求項１から３のうちいずれか一項に記載の情報記録媒体。
【請求項５】
前記第２管理エリアにおいては、前記第１又は第２位置情報として、（ｉ）前記再生専用エリア又は前記書き換え禁止エリアの開始位置を示す開始アドレス、（ｉｉ）前記再生専用エリア又は前記書き換え禁止エリアの終了位置を示す終了アドレス、（ｉｉｉ）少なくとも前記第２位置情報が記録された時間に関する時間情報、並びに（ｉｖ）前記第２位置情報の記録の可否に関する可否情報が記録可能であることを特徴とする請求項１から４のうちいずれか一項に記載の情報記録媒体。
【請求項６】
前記第２管理エリアは、前記第２位置情報を含む管理情報（ＲＭＤ）を記録可能であることを特徴とする請求項１から５のうちいずれか一項に記載の情報記録媒体。
【請求項７】
複数の前記再生専用エリアが、前記データエリアを分断する形で、非連続的に配置されることを特徴とする請求項１から６のうちいずれか一項に記載の情報記録媒体。
【請求項８】
複数の情報を夫々記録するための複数の記録層を備えており、
前記複数の記録層のうち、少なくとも一の記録層は、前記再生専用エリア、前記データエリア、前記第１管理エリア、及び、前記第２管理エリアのうち少なくとも一のエリアを備えることを特徴とする請求項１から７のうちいずれか一項に記載の情報記録媒体。
【請求項９】
前記複数の記録層のうち、いずれか一の記録層の所定領域に前記再生専用エリアを備えることを特徴とする請求項８に記載の情報記録媒体。
【請求項１０】
前記一の記録層は、レーザ光が入射される側から見て奥側の記録層であることを特徴とする請求項９に記載の情報記録媒体。
【請求項１１】
再生専用情報が、エンボスピットの形成によって予め記録された再生専用エリアと、記録情報を記録可能なデータエリアと、前記再生専用エリアの位置に関する第１位置情報が、エンボスピットの形成によって予め記録された第１管理エリアと、（ｉ）前記第１位置情報に加えて、又は、代えて（ｉｉ）前記データエリアに有される、前記記録情報の一部又は全部が書き換え禁止である書き換え禁止エリアの位置に関する第２位置情報を記録可能な第２管理エリアとを備え、
前記再生専用エリア、及び前記第１管理エリアのうち少なくとも一方は、プリピット（ＬＰＰ：LandPrePit）が予め形成されていないと共に、
前記第２管理エリアにおいては、前記第１又は第２位置情報として、（ｉ）前記再生専用エリア又は前記書き換え禁止エリアの開始位置を示す開始アドレス、（ｉｉ）前記再生専用エリア又は前記書き換え禁止エリアの終了位置を示す終了アドレス、及び（ｉｉｉ）前記開始アドレス、及び前記終了アドレスが、前記再生専用エリアに対応されるのか、又は、前記書き換え禁止エリアに対応されるのかを示す識別情報が記録可能であり、
前記記録情報は、コンテンツデータを含み、
前記再生専用情報は、前記コンテンツデータの再生を制御する再生制御情報の一部を含み、
前記書き換え禁止エリアには、前記再生制御情報の他部が含まれる情報記録媒体に前記記録情報を記録する情報記録装置であって、
前記第１位置情報及び前記第２位置情報を取得する取得手段と、
前記記録情報を記録する記録手段と、
取得された前記第１位置情報及び前記第２位置情報に基づいて、前記記録情報を記録するように、前記記録手段を制御する制御手段と
を備えることを特徴とする情報記録装置。
【請求項１２】
前記書き換え禁止エリアの位置の変更に基づいて、前記第２位置情報を更新する更新手段を更に備えることを特徴とする請求項１１に記載の情報記録装置。
【請求項１３】
前記情報記録媒体に備えられた、前記第２管理エリアは、少なくとも１世代前の他の第２位置情報を保持可能であり、
前記制御手段は、取得された前記第１位置情報及び前記第２位置情報に加えて、前記他の第２位置情報に基づいて、前記記録情報を記録するように、前記記録手段を制御することを特徴とする請求項１２に記載の情報記録装置。
【請求項１４】
再生専用情報が、エンボスピットの形成によって予め記録された再生専用エリアと、記録情報を記録可能なデータエリアと、前記再生専用エリアの位置に関する第１位置情報が、エンボスピットの形成によって予め記録された第１管理エリアと、（ｉ）前記第１位置情報に加えて、又は、代えて（ｉｉ）前記データエリアに有される、前記記録情報の一部又は全部が書き換え禁止である書き換え禁止エリアの位置に関する第２位置情報を記録可能な第２管理エリアとを備え、
前記再生専用エリア、及び前記第１管理エリアのうち少なくとも一方は、プリピット（ＬＰＰ：LandPrePit）が予め形成されていないと共に、
前記第２管理エリアにおいては、前記第１又は第２位置情報として、（ｉ）前記再生専用エリア又は前記書き換え禁止エリアの開始位置を示す開始アドレス、（ｉｉ）前記再生専用エリア又は前記書き換え禁止エリアの終了位置を示す終了アドレス、及び（ｉｉｉ）前記開始アドレス、及び前記終了アドレスが、前記再生専用エリアに対応されるのか、又は、前記書き換え禁止エリアに対応されるのかを示す識別情報が記録可能であり、
前記記録情報は、コンテンツデータを含み、
前記再生専用情報は、前記コンテンツデータの再生を制御する再生制御情報の一部を含み、
前記書き換え禁止エリアには、前記再生制御情報の他部が含まれる情報記録媒体に前記記録情報を再生する情報再生装置であって、
前記第１位置情報及び前記第２位置情報を取得する取得手段と、
前記記録情報を記録する再生手段と、
取得された前記第１位置情報及び前記第２位置情報に基づいて、前記記録情報を再生するように、前記再生手段を制御する制御手段と
を備えることを特徴とする情報再生装置。
【請求項１５】
再生専用情報が、エンボスピットの形成によって予め記録された再生専用エリアと、記録情報を記録可能なデータエリアと、前記再生専用エリアの位置に関する第１位置情報が、エンボスピットの形成によって予め記録された第１管理エリアと、（ｉ）前記第１位置情報に加えて、又は、代えて（ｉｉ）前記データエリアに有される、前記記録情報の一部又は全部が書き換え禁止である書き換え禁止エリアの位置に関する第２位置情報を記録可能な第２管理エリアとを備える情報記録媒体に前記記録情報を記録する記録手段を備え、
前記再生専用エリア、及び前記第１管理エリアのうち少なくとも一方は、プリピット（ＬＰＰ：LandPrePit）が予め形成されていないと共に、
前記第２管理エリアにおいては、前記第１又は第２位置情報として、（ｉ）前記再生専用エリア又は前記書き換え禁止エリアの開始位置を示す開始アドレス、（ｉｉ）前記再生専用エリア又は前記書き換え禁止エリアの終了位置を示す終了アドレス、及び（ｉｉｉ）前記開始アドレス、及び前記終了アドレスが、前記再生専用エリアに対応されるのか、又は、前記書き換え禁止エリアに対応されるのかを示す識別情報が記録可能であり、
前記記録情報は、コンテンツデータを含み、
前記再生専用情報は、前記コンテンツデータの再生を制御する再生制御情報の一部を含み、
前記書き換え禁止エリアには、前記再生制御情報の他部が含まれる情報記録装置における情報記録方法であって、
前記第１位置情報及び前記第２位置情報を取得する取得工程と、
取得された前記第１位置情報及び前記第２位置情報に基づいて、前記記録情報を記録するように、前記記録手段を制御する制御工程と
を備えることを特徴とする情報記録方法。
【請求項１６】
再生専用情報が、エンボスピットの形成によって予め記録された再生専用エリアと、記録情報を記録可能なデータエリアと、前記再生専用エリアの位置に関する第１位置情報が、エンボスピットの形成によって予め記録された第１管理エリアと、（ｉ）前記第１位置情報に加えて、又は、代えて（ｉｉ）前記データエリアに有される、前記記録情報の一部又は全部が書き換え禁止である書き換え禁止エリアの位置に関する第２位置情報を記録可能な第２管理エリアとを備え、
前記再生専用エリア、及び前記第１管理エリアのうち少なくとも一方は、プリピット（ＬＰＰ：LandPrePit）が予め形成されていないと共に、
前記第２管理エリアにおいては、前記第１又は第２位置情報として、（ｉ）前記再生専用エリア又は前記書き換え禁止エリアの開始位置を示す開始アドレス、（ｉｉ）前記再生専用エリア又は前記書き換え禁止エリアの終了位置を示す終了アドレス、及び（ｉｉｉ）前記開始アドレス、及び前記終了アドレスが、前記再生専用エリアに対応されるのか、又は、前記書き換え禁止エリアに対応されるのかを示す識別情報が記録可能であり、
前記記録情報は、コンテンツデータを含み、
前記再生専用情報は、前記コンテンツデータの再生を制御する再生制御情報の一部を含み、
前記書き換え禁止エリアには、前記再生制御情報の他部が含まれる情報記録媒体に前記記録情報を再生する再生手段を備える情報再生装置における情報再生方法であって、
前記第１位置情報及び前記第２位置情報を取得する取得工程と、
取得された前記第１位置情報及び前記第２位置情報に基づいて、前記記録情報を再生するように、前記再生手段を制御する制御工程と
を備えることを特徴とする情報再生方法。
【請求項１７】
請求項１１に記載の情報記録装置に備えられたコンピュータを制御する記録制御用のコンピュータプログラムであって、該コンピュータを、前記取得手段、前記記録手段、及び、前記制御手段のうち少なくとも一部として機能させることを特徴とするコンピュータプログラム。
【請求項１８】
請求項１４に記載の情報再生装置に備えられたコンピュータを制御する再生制御用のコンピュータプログラムであって、該コンピュータを、前記取得手段、前記再生手段、及び、前記制御手段のうち少なくとも一部として機能させることを特徴とするコンピュータプログラム。
【請求項１９】
前記制御手段は、前記第２位置情報がゼロ又はｎｕｌｌを示す場合、前記第２位置情報として、前記第１位置情報を記録するように、前記記録手段を制御することを特徴とする請求項１１に記載の情報記録装置。
【発明の詳細な説明】
【技術分野】
【０００１】
本発明は、例えばＤＶＤ（Digital Versatile Disc）、ＢＤ（Blu-ray Disc）、ＣＤ（Compact Disc）等のレーザ光を照射することによって記録及び再生が可能な光ディスク等の情報記録媒体、当該情報記録媒体の記録装置及び方法、再生装置及び方法、記録再生装置及び方法、並びに、コンピュータプログラムの技術分野に属する。
【背景技術】
【０００２】
２種類の物理的特性を併せ持つハイブリッド型の光ディスクが提案されている。このハイブリッド型の光ディスクは、（ｉ）例えばＣＤ−Ｒ、ＤＶＤ−Ｒ、又は、ＤＶＤ−ＲＷ等の記録型光ディスクと概ね同様の、記録情報の追記や書き換えを可能とする物理的特性を保持する記録エリアと、（ｉｉ）例えばＣＤ−ＲＯＭ、ＤＶＤ−ＲＯＭ等の再生専用型の光ディスクと概ね同様の物理的特性を保持する再生専用エリアとを併せ持つ。例えば、記録層の内周側は、再生専用エリアであり、外周側は、記録エリアであるハイブリッド型の光ディスクも提案されている。【０００３】
他方で、映画コンテンツ等の記録情報の著作権の保護や、機密性の確保は、一般的に、暗号化キー等の暗号化情報に基づいた暗号化システムによって実現されている。詳細には、この暗号化システムにおいては、暗号化情報は、記録情報と共に、予め記録されていたり、ネットワーク等の外部から取得されたりする。【０００４】
特許文献１等においては、例えば、再生専用エリアへの書き込み等の誤った記録を防止するために、再生専用エリアの位置を示すアドレス情報を当該情報記録媒体に予め記録しておき、そのアドレス情報に基づいて、再生専用エリアへの書き込みを禁止させる制御の手法について記載されている。【０００５】
また、特許文献２においては、再生専用エリアの位置を示すアドレス情報を、エンボスピットの形成により、当該情報記録媒体に予め記録し、再生専用エリアへの書き込みを禁止させる制御情報として用いる手法について掲載されている。【０００６】
【特許文献１】特開２００３−５９１９４号公報
【特許文献２】特開２００１−３２５７４７号公報
【発明の開示】
【発明が解決しようとする課題】
【０００７】
しかしながら、上述したハイブリッド型の光ディスクにおいては、例えば書き換え禁止エリアや再生専用エリアの位置が固定されていることが前提であり、位置が固定された再生専用エリア等への誤った書き込みを防止することしかできない。即ち、当該光ディスクにおける書き換え禁止エリア、又は再生専用エリアの位置を静的に管理することしかできないという技術的な問題点を有している。【０００８】
本発明は、例えば上述した問題点に鑑みなされたものであり、例えばハイブリッド型の情報記録媒体に対して、適切に記録情報の記録又は再生等を行うことが可能な情報記録媒体、情報記録装置及び方法、情報再生装置及び方法、情報記録再生装置及び方法、並びに、コンピュータをこのような情報記録装置、情報再生装置、及び情報記録再生装置として機能させるコンピュータプログラムを提供することを課題とする。
【課題を解決するための手段】
【０００９】
（情報記録媒体）
以下、本発明の情報記録媒体について説明する。【００１０】
上記課題を解決するために、本発明の情報記録媒体は、再生専用情報が、エンボスピットの形成によって予め記録された再生専用エリア（ReadOnlyArea）と、記録情報を記録可能なデータエリアと、前記再生専用エリアの位置に関する第１位置情報（ReadOnlyArea情報：ROA情報）が、エンボスピットの形成によって予め記録された第１管理エリア（ＣＤＺ）と、（ｉ）前記第１位置情報に加えて、又は、代えて（ｉｉ）前記データエリアに有される、前記記録情報の一部又は全部が書き換え禁止である書き換え禁止エリアの位置に関する第２位置情報（ReadOnlyArea情報：ROA情報）を記録可能な第２管理エリア（ＲＭＡ）とを備える。【００１１】
本発明の情報記録媒体によれば、例えばハイブリッド型の光ディスクの再生専用エリアにおいて、例えば、映画コンテンツ等の再生専用情報が、例えば、インジェクションモールド等の方法によって、エンボスピットの形成によって予め記録される。そして、第１管理エリア（ＣＤＺ）において、再生専用エリアの位置に関する第１位置情報が、エンボスピットの形成によって予め記録される。【００１２】
加えて、例えばハイブリッド型の光ディスクのデータエリアにおいて、例えばユーザデータ等の記録情報が、書き換え可能で記録される。特に、データエリアは、（ｉ）記録情報の一部又は全部が書き換え禁止である書き換え禁止エリア、及び（ｉｉ）記録情報の一部又は全部が書き換え可能である書き換え可能エリアを有することが可能である。【００１３】
特に、本発明では、（ｉ）再生専用エリアの位置に関する第１位置情報に加えて、又は、代えて（ｉｉ）記録エリアに有される、記録情報の一部又は全部が書き換え禁止である書き換え禁止エリアの位置に関する第２位置情報を記録可能な第２管理エリア（ＲＭＡ）を備える。【００１４】
この結果、第１位置情報に基づいて、位置が固定された再生専用エリアへの誤った書き込みを防止することが可能であると共に、第２位置情報に基づいて、例えば位置が可変である書き換え禁止エリアへの誤った書き込みを防止することが可能である。即ち、当該情報記録媒体における再生専用エリアの位置を静的に管理することが可能であると共に、当該情報記録媒体における書き換え禁止エリアの位置を動的に管理することが可能である。【００１５】
加えて、より基本的で汎用性が高く情報自体の変化が殆ど又は完全にない情報は、再生専用情報として、エンボスピットの形成によって再生専用エリアに予め記録する。同様に、再生専用エリアの位置に関する第１位置情報を、エンボスピットの形成によって第１管理エリアに予め記録する。他方で、より応用的で拡張性が高く情報自体の変化が大きく、暫定的に書き換えを禁止したい情報は、データエリア内の書き換え禁止エリアに記録可能である。同様に、書き換え禁止エリアの位置に関する第２位置情報を、第２管理エリアに記録可能である。この結果、情報自体の性質や特徴に基づいて、各種の情報を適切な記録領域に記録し、保護することで、より適切且つ高度な情報の管理を実現することが可能である。【００１６】
本発明の情報記録媒体の一の態様では、前記再生専用エリア、及び前記第１管理エリアのうち少なくとも一方は、プリピット（ＬＰＰ：LandPrePit）が予め形成されていない。【００１７】
この態様によれば、プリピットが予め形成されていないことに基づいて、位置が固定された再生専用エリアへの誤った書き込みを防止することが可能である。【００１８】
本発明の情報記録媒体の他の態様では、前記再生専用エリア、及び前記第１管理エリアのうち少なくとも一方は、同期信号が予め記録されている。【００１９】
この態様によれば、予め記録されている同期信号に基づいて、後述される情報記録装置等によって、記録クロックを予め生成することが可能である。【００２０】
本発明の情報記録媒体の他の態様では、前記第１管理エリアにおいては、前記第１位置情報として、（ｉ）前記再生専用エリアの開始位置を示す開始アドレス、並びに、（ｉｉ−１）前記再生専用エリアの終了位置を示す終了アドレス、又は（ｉｉ−２）前記再生専用エリアの記録容量が予め記録され、前記第２管理エリアにおいては、前記第２位置情報として、（ｉｉｉ）前記第１位置情報に加えて、（ｉｖ）前記書き換え禁止エリアの開始位置を示す開始アドレス、並びに、（ｖ−１）前記書き換え禁止エリアの終了位置を示す終了アドレス、又は（ｖ−２）前記書き換え禁止エリアの記録容量が記録可能である。【００２１】
この態様によれば、再生専用エリアの位置を示す開始アドレス、及び終了アドレス（再生専用エリアの記録容量）に基づいて、情報記録媒体における再生専用エリアの位置を静的に、より高精度に管理することが可能である。と共に、書き換え禁止エリアの位置を示す開始アドレス、及び終了アドレス（書き換え禁止エリアの記録容量）に基づいて、情報記録媒体における書き換え禁止エリアの位置を動的に、より高精度に管理することが可能である。【００２２】
本発明の情報記録媒体の他の態様では、前記第２管理エリアにおいては、前記第１又は第２位置情報として、（ｉ）前記再生専用エリア又は前記書き換え禁止エリアの開始位置を示す開始アドレス、（ｉｉ）前記再生専用エリア又は前記書き換え禁止エリアの終了位置を示す終了アドレス、及び（ｉｉｉ）前記開始アドレス、及び前記終了アドレスが、前記再生専用エリアに対応されるのか、又は、前記書き換え禁止エリアに対応されるのかを示す識別情報が記録可能である。【００２３】
この態様によれば、開始アドレス、終了アドレス、及び、識別情報に基づいて、情報記録媒体における再生専用エリアの位置を静的に、情報量を節約しつつ、より高精度に管理することが可能であると共に、情報記録媒体における書き換え禁止エリアの位置を動的に、情報量を節約しつつ、より高精度に管理することが可能である。【００２４】
本発明の情報記録媒体の他の態様では、前記第２管理エリアは、（ｉ）前記第１位置情報を記録するための一のフィールド、及び（ｉｉ）前記第２位置情報を記録するための他のフィールドを有する。【００２５】
この態様によれば、一のフィールドに記録された第１位置情報、及び、他のフィールドに記録された第２位置情報に基づいて、情報記録媒体における再生専用エリアの位置を静的に、より高精度に管理することが可能であると共に、情報記録媒体における書き換え禁止エリアの位置を動的に、より高精度に管理することが可能である。加えて、第１及び第２位置情報に対する、例えば情報記録装置による処理速度の向上を実現可能である。【００２６】
本発明の情報記録媒体の他の態様では、前記第２管理エリアにおいては、前記第１又は第２位置情報として、（ｉ）前記再生専用エリア又は前記書き換え禁止エリアの開始位置を示す開始アドレス、（ｉｉ）前記再生専用エリア又は前記書き換え禁止エリアの終了位置を示す終了アドレス、（ｉｉｉ）少なくとも前記第２位置情報が記録された時間に関する時間情報、並びに（ｉｖ）前記第２位置情報の記録の可否に関する可否情報が記録可能である。【００２７】
この態様によれば、開始アドレス、終了アドレス、時間情報、及び、可否情報に基づいて、情報記録媒体における再生専用エリアの位置を静的に、より高精度に管理することが可能であると共に、情報記録媒体における書き換え禁止エリアの位置を動的に、より高精度に管理することが可能である。【００２８】
本発明の情報記録媒体の他の態様では、前記第２管理エリアは、前記第２位置情報を含む管理情報（ＲＭＤ：レコーディングマネージメントデータ）を記録可能である。【００２９】
この態様によれば、第２位置情報を含む管理情報に基づいて、情報記録媒体における書き換え禁止エリアの位置を動的に、より高精度に管理することが可能である。【００３０】
本発明の情報記録媒体の他の態様では、複数の前記再生専用エリアが、前記データエリアを分断する形で、非連続的に配置される。【００３１】
この態様によれば、再生専用情報、及び記録情報に基づいて、より応用性の高いアプリケーションを実現可能である。【００３２】
本発明の情報記録媒体の他の態様では、複数の情報を夫々記録するための複数の記録層を備えており、前記複数の記録層のうち、少なくとも一の記録層は、前記再生専用エリア、前記データエリア、前記第１管理エリア、及び、前記第２管理エリアのうち少なくとも一のエリアを備える。【００３３】
この態様によれば、多層型の情報記録媒体において、当該情報記録媒体における再生専用エリアの位置を静的に管理することが可能であると共に、当該情報記録媒体における書き換え禁止エリアの位置を動的に管理することが可能である。【００３４】
この態様では、前記複数の記録層のうち、いずれか一の記録層は、前記再生専用エリアを備えるように構成してもよい。【００３５】
このように構成すれば、レーザ光の照射される側から見て手前の層にはエンボスピットで形成される再生専用エリアが無いため、手前に位置される記録層のグルーブエリアあるいはエンボスエリアの違いによる光透過率の違いに影響されることなく、最適記録パワーの調整をより簡便化させて行うことが可能である。【００３６】
更に、この態様では、この一の記録層は、レーザ光が入射される側から見て奥側の記録層であるように構成してもよい。【００３７】
つまり、レーザ光の照射される側から見て奥側に位置される記録層の記録可能エリアにおいては、エンボスピットで形成された再生専用エリアを介さずに記録できるため、最適記録パワーの調整を殆ど又は完全に不要とすることも可能である。【００３８】
一般的に、グルーブトラックにおける記録状態又は未記録状態と比較して、エンボスピットで形成された再生専用エリアの方が、レーザ光の照射される側から見て奥側に位置される記録層に対する光透過率が下がる。よって、再生専用エリアを介して記録する場合の最適記録パワーは、グルーブ部を介して記録する場合よりも大きくなる。したがって、手前の層に再生専用エリアと記録可能エリアが多く混在していると、奥側の層に記録する場合に、手前の層のエリアに応じて行われる最適記録パワーの制御が複雑になる。【００３９】
よって、再生専用エリアが、レーザ光が照射される側から見て、複数の記録層のうち、手前に位置する記録層においてひとつのブロックとして配置されるように構成してもよい。この結果、ある半径位置あるいはアドレスで手前の層の再生専用エリアが特定されるので、奥側の層へ記録する際の最適記録パワーはその場所で切り替えればよく、最適記録パワー制御が簡便となる。【００４０】
また、再生専用エリアが、レーザ光が照射される側から見て、複数の記録層のうち、手前に位置する記録層のすべてに配置されるように構成してもよい。この結果、手前の層は再生専用エリアでしかないため、奥側の層への記録は再生専用エリアを介して記録する場合の最適記録パワーで記録すれば良いことになり、手前側の層のエリアに応じた最適記録パワーの制御を不要とすることも可能である。【００４１】
本発明の情報記録媒体の他の態様では、前記記録情報は、コンテンツデータを含み、前記再生専用情報は、前記コンテンツデータの再生を制御する再生制御情報（カーナビProgramや暗号化情報）の一部を含み、前記書き換え禁止エリアには、前記再生制御情報の他部（Version UP）が含まれる。【００４２】
この態様によれば、例えばカーナビゲーションのプログラムや暗号化情報や、例えばコンテンツデータ等の記録情報の再生を制御する再生制御情報の一部が、再生専用情報として、例えばエンボスピットの形成によって、再生専用エリアに予め記録される。他方、再生制御情報の他部が、第２位置情報に基づいて位置を特定可能な書き換え禁止エリアに記録可能である。尚、第１世代の再生制御情報の他部は、再生制御情報の一部が再生されることによって、生成されるようにしてもよい。【００４３】
その結果、例えば再生制御情報のうち情報の更新が頻繁に行われることが予想される、再生制御情報の他部の書き換えを暫定的に禁止することが可能である。所定の時間の経過後、再生制御情報の他部が新たに更新された場合、情報量の変化に適切に対応して、新しく更新された第２位置情報に基づいて、新たに更新された再生制御情報の他部の書き換えを新たに禁止することが可能である。【００４４】
（情報記録装置）
以下、本発明の情報記録装置について説明する。【００４５】
上記課題を解決するために、本発明の情報記録装置は、再生専用情報が、エンボスピットの形成によって予め記録された再生専用エリア（ReadOnlyArea）と、記録情報を記録可能なデータエリアと、前記再生専用エリアの位置に関する第１位置情報（ReadOnlyArea情報：ROA情報）が、エンボスピットの形成によって予め記録された第１管理エリア（ＣＤＺ）と、（ｉ）前記第１位置情報に加えて、又は、代えて（ｉｉ）前記データエリアに有される、前記記録情報の一部又は全部が書き換え禁止である書き換え禁止エリアの位置に関する第２位置情報（ReadOnlyArea情報：ROA情報）を記録可能な第２管理エリア（ＲＭＡ）とを備える情報記録媒体に前記記録情報を記録する情報記録装置であって、前記第１位置情報（ROA情報）及び前記第２位置情報（ROA情報）を取得する取得手段と、前記記録情報を記録する記録手段と、取得された前記第１位置情報及び前記第２位置情報に基づいて、前記記録情報を記録するように、前記記録手段を制御する制御手段とを備える。【００４６】
本発明の情報記録装置によれば、先ず、例えば光ピックアップ等の取得手段によって、第１位置情報（ROA情報）及び第２位置情報（ROA情報）が取得される。次に、例えば、ドライブ又はホストコンピュータのＣＰＵ（Central Processing Unit）等の制御手段の制御下で、光ピックアップ等の記録手段によって、取得された第１及び第２位置情報に基づいて、記録情報が記録される。【００４７】
特に、本発明では、（ｉ）再生専用エリアの位置に関する第１位置情報に加えて、又は、代えて（ｉｉ）記録エリアに有される、記録情報の一部又は全部が書き換え禁止である書き換え禁止エリアの位置に関する第２位置情報に基づいて、記録情報が記録される。【００４８】
この結果、第１位置情報に基づいて、位置が固定された再生専用エリアへの誤った書き込みを防止することが可能であると共に、第２位置情報に基づいて、例えば位置が可変である書き換え禁止エリアへの誤った書き込みを防止することが可能である。即ち、情報記録装置によって、情報記録媒体における再生専用エリアの位置を静的に管理することが可能であると共に、情報記録媒体における書き換え禁止エリアの位置を動的に管理することが可能である。【００４９】
尚、上述した本発明の情報記録媒体が有する各種態様に対応して、本発明の情報記録装置も各種態様を採ることが可能である。【００５０】
本発明の情報記録装置の一の態様では、前記書き換え禁止エリアの位置の変更に基づいて、前記第２位置情報を更新する更新手段を更に備える。【００５１】
この態様によれば、更新手段によって更新された第２位置情報に基づいて、情報記録媒体における書き換え禁止エリアの位置を動的に、より高精度に管理することが可能である。【００５２】
本発明の情報記録装置の他の態様では、前記情報記録媒体に備えられた、前記第２管理エリアは、少なくとも１世代前の他の第２位置情報を保持可能であり、前記制御手段は、取得された前記第１位置情報及び前記第２位置情報に加えて、前記他の第２位置情報に基づいて、前記記録情報を記録するように、前記記録手段を制御する。【００５３】
この態様によれば、取得された第１位置情報及び第２位置情報に加えて、少なくとも１世代前の他の第２位置情報に基づいて、情報記録媒体の書き換え禁止エリアに記録されている記録情報の再利用を実現することが可能である。より具体的には、仮に、１世代前の他の第２位置情報において書き換え禁止エリアである場所は、最新の第２位置情報では書き換え禁止エリアの設定になっていなかったとしても、記録情報の上書きしないようにしてもよい。従って、例えば更新プログラム等の最新の書き換え禁止エリアの記録情報が不適切である場合においても、１世代前の書き換え禁止エリアの記録情報を復帰することが可能である。【００５４】
（情報再生装置）
以下、本発明の情報記録装置について説明する。【００５５】
上記課題を解決するために、本発明の情報再生装置は、再生専用情報が、エンボスピットの形成によって予め記録された再生専用エリア（ReadOnlyArea）と、記録情報を記録可能なデータエリアと、前記再生専用エリアの位置に関する第１位置情報（ReadOnlyArea情報：ROA情報）が、エンボスピットの形成によって予め記録された第１管理エリア（ＣＤＺ）と、（ｉ）前記第１位置情報に加えて、又は、代えて（ｉｉ）前記データエリアに有される、前記記録情報の一部又は全部が書き換え禁止である書き換え禁止エリアの位置に関する第２位置情報（ReadOnlyArea情報：ROA情報）を記録可能な第２管理エリア（ＲＭＡ）とを備える情報記録媒体に前記記録情報を再生する情報再生装置であって、前記第１位置情報（ROA情報）及び前記第２位置情報（ROA情報）を取得する取得手段と、前記記録情報を記録する再生手段と、取得された前記第１位置情報及び前記第２位置情報に基づいて、前記記録情報を記録するように、前記記録手段を制御する制御手段とを備える。【００５６】
本発明の情報再生装置によれば、先ず、例えば光ピックアップ等の取得手段によって、第１位置情報（ROA情報）及び第２位置情報（ROA情報）が取得される。次に、例えば、ドライブ又はホストコンピュータのＣＰＵ（Central Processing Unit）等の制御手段の制御下で、光ピックアップ等の再生手段によって、取得された第１及び第２位置情報に基づいて、記録情報が再生される。【００５７】
特に、本発明では、（ｉ）再生専用エリアの位置に関する第１位置情報に加えて、又は、代えて（ｉｉ）記録エリアに有される、記録情報の一部又は全部が書き換え禁止である書き換え禁止エリアの位置に関する第２位置情報に基づいて、記録情報が再生される。【００５８】
この結果、情報記録再生装置によって、情報記録媒体における再生専用エリアの位置を静的に管理することが可能であると共に、情報記録媒体における書き換え禁止エリアの位置を動的に管理することが可能である。【００５９】
尚、上述した本発明の情報記録媒体が有する各種態様に対応して、本発明の情報再生装置も各種態様を採ることが可能である。【００６０】
（情報記録方法）
以下、本発明の情報記録方法について説明する。【００６１】
上記課題を解決するために、本発明の情報記録方法は、再生専用情報が、エンボスピットの形成によって予め記録された再生専用エリア（ReadOnlyArea）と、記録情報を記録可能なデータエリアと、前記再生専用エリアの位置に関する第１位置情報（ReadOnlyArea情報：ROA情報）が、エンボスピットの形成によって予め記録された第１管理エリア（ＣＤＺ）と、（ｉ）前記第１位置情報に加えて、又は、代えて（ｉｉ）前記データエリアに有される、前記記録情報の一部又は全部が書き換え禁止である書き換え禁止エリアの位置に関する第２位置情報（ReadOnlyArea情報：ROA情報）を記録可能な第２管理エリア（ＲＭＡ）とを備える情報記録媒体に前記記録情報を記録する記録手段を備える情報記録装置における情報記録方法であって、前記第１位置情報（ROA情報）及び前記第２位置情報（ROA情報）を取得する取得工程と、取得された前記第１位置情報及び前記第２位置情報に基づいて、前記記録情報を記録するように、前記記録手段を制御する制御工程とを備える。【００６２】
本発明の情報記録方法によれば、上述した本発明の情報記録装置が有する各種利益を享受することが可能となる。【００６３】
尚、上述した本発明の情報記録装置が有する各種態様に対応して、本発明の情報記録方法も各種態様を採ることが可能である。【００６４】
（情報再生方法）
以下、本発明の情報再生方法について説明する。【００６５】
上記課題を解決するために、本発明の情報再生方法は、再生専用情報が、エンボスピットの形成によって予め記録された再生専用エリア（ReadOnlyArea）と、記録情報を記録可能なデータエリアと、前記再生専用エリアの位置に関する第１位置情報（ReadOnlyArea情報：ROA情報）が、エンボスピットの形成によって予め記録された第１管理エリア（ＣＤＺ）と、（ｉ）前記第１位置情報に加えて、又は、代えて（ｉｉ）前記データエリアに有される、前記記録情報の一部又は全部が書き換え禁止である書き換え禁止エリアの位置に関する第２位置情報（ReadOnlyArea情報：ROA情報）を記録可能な第２管理エリア（ＲＭＡ）とを備える情報記録媒体に前記記録情報を再生する再生手段を備える情報再生装置における情報再生方法であって、前記第１位置情報（ROA情報）及び前記第２位置情報（ROA情報）を取得する取得工程と、取得された前記第１位置情報及び前記第２位置情報に基づいて、前記記録情報を再生するように、前記再生手段を制御する制御工程とを備える。【００６６】
本発明の情報再生方法によれば、上述した本発明の情報再生装置が有する各種利益を享受することが可能となる。【００６７】
尚、上述した本発明の情報再生装置が有する各種態様に対応して、本発明の情報再生方法も各種態様を採ることが可能である。【００６８】
（コンピュータプログラム）
以下、本発明のコンピュータプログラムについて説明する。【００６９】
上記課題を解決するために、本発明の記録制御用のコンピュータプログラムは、上述した本発明の情報記録装置（但し、その各種態様を含む）に備えられたコンピュータを制御する記録制御用のコンピュータプログラムであって、該コンピュータを、前記取得手段、前記記録手段、及び、前記制御手段のうち少なくとも一部として機能させる。【００７０】
上記課題を解決するために、本発明の再生制御用のコンピュータプログラムは、上述した本発明の情報再生装置（但し、その各種態様を含む）に備えられたコンピュータを制御する再生制御用のコンピュータプログラムであって、該コンピュータを、前記取得手段、前記再生手段、及び、前記制御手段のうち少なくとも一部として機能させる。【００７１】
本発明に係るコンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置、及び情報再生装置を比較的簡単に実現できる。【００７２】
尚、上述した本発明の情報記録装置、及び情報再生装置における各種態様に対応して、本発明の各コンピュータプログラムも各種態様を採ることが可能である。【００７３】
上記課題を解決するために、コンピュータ読取可能な媒体内の第１コンピュータプログラム製品は、上述した本発明の情報記録装置（但し、その各種態様を含む）に備えられたコンピュータにより実行可能なプログラム命令を明白に具現化し、該コンピュータを、前記取得手段、前記記録手段、及び、前記制御手段のうち少なくとも一部として機能させる。【００７４】
上記課題を解決するために、コンピュータ読取可能な媒体内の第２コンピュータプログラム製品は、上述した本発明の情報再生装置（但し、その各種態様を含む）に備えられたコンピュータにより実行可能なプログラム命令を明白に具現化し、該コンピュータを、前記取得手段、前記再生手段、及び、前記制御手段のうち少なくとも一部として機能させる。【００７５】
本発明の第１又は第２コンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報記録装置又は情報再生装置を比較的容易に実施可能となる。更に具体的には、当該コンピュータプログラム製品は、上述した本発明の情報記録装置又は情報再生装置として機能させるコンピュータ読取可能なコード（或いはコンピュータ読取可能な命令）から構成されてよい。【００７６】
本発明のこのような作用及び他の利得は次に説明する実施例から明らかにされる。【００７７】
以上説明したように、本発明の情報記録媒体によれば、再生専用エリアと、データエリアと、第１管理エリアと、第２管理エリアとを備える。この結果、第１位置情報に基づいて、位置が固定された再生専用エリアへの誤った書き込みを防止することが可能であると共に、第２位置情報に基づいて、例えば位置が可変である書き換え禁止エリアへの誤った書き込みを防止することが可能である。即ち、当該情報記録媒体における再生専用エリアの位置を静的に管理することが可能であると共に、当該情報記録媒体における書き換え禁止エリアの位置を動的に管理することが可能である。【００７８】
また、本発明の情報記録装置及び方法によれば、取得手段及び工程、記録手段及び工程、並びに、制御手段及び工程を備える。この結果、第１位置情報に基づいて、位置が固定された再生専用エリアへの誤った書き込みを防止することが可能であると共に、第２位置情報に基づいて、例えば位置が可変である書き換え禁止エリアへの誤った書き込みを防止することが可能である。即ち、情報記録装置によって、情報記録媒体における再生専用エリアの位置を静的に管理することが可能であると共に、情報記録媒体における書き換え禁止エリアの位置を動的に管理することが可能である。【００７９】
また、本発明の情報再生装置及び方法によれば、取得手段及び工程、再生手段及び工程、並びに、制御手段及び工程を備える。この結果、情報記録再生装置によって、情報記録媒体における再生専用エリアの位置を静的に管理することが可能であると共に、情報記録媒体における書き換え禁止エリアの位置を動的に管理することが可能である。【００８０】
更に、また、本発明のコンピュータプログラムによれば、コンピュータを上述した本発明の情報記録装置、及び情報再生装置として機能させるので、上述した情報記録媒体における再生専用エリアの位置を静的に管理することが可能であると共に、情報記録媒体における書き換え禁止エリアの位置を動的に管理することが可能である。
【図面の簡単な説明】
【００８１】
【図１】本発明の情報記録媒体の実施例に係る複数の記録領域を有する光ディスクの基本構造を示した概略平面図、及び、該概略平面図に対応付けられた、その半径方向における記録領域構造の図式的概念図である。
【図２】本発明の情報記録媒体の実施例に係る光ディスクの記録領域と、当該記録領域の位置を特定可能なアドレスとの関係を示した概念的グラフである。
【図３】本発明の情報記録媒体の実施例に係る光ディスクの記録領域の一具体例を示した模式的な平面図である。
【図４】本発明の第１位置情報の一具体例を示したテーブル（図４（ａ））、及び本発明の第１位置情報に係るＲＯＡ情報のデータ構造の一具体例を示したテーブル（図４（ｂ））である。
【図５】本発明の第２位置情報の一具体例を示したテーブル（図５（ａ））、及び本発明の第２位置情報に係るＲＯＡ情報のデータ構造の一具体例を示したテーブル（図５（ｂ））である。
【図６】本発明の情報記録媒体の実施例に係る光ディスクの記録領域の４つの遷移の一具体例を示した模式的な平面図（図６（ａ）から図６（ｄ））である。
【図７】図６に対応されると共に、本発明の第１位置情報に係るＲＯＡ情報のデータ構造の一具体例を示したテーブルである。
【図８】図６に対応されると共に、本発明の第２位置情報に係るＲＯＡ情報のデータ構造の一具体例を示したテーブルである。
【図９】本発明の情報記録装置の実施例に係る情報記録再生装置、及び、ホストコンピュータの基本構成を示したブロック図である。
【図１０】本発明の情報記録装置の実施例に係る情報記録再生装置による（ｉ）ＲＯＡ（Read Only Area）情報の取得処理、（ｉｉ）記録処理、及び（ｉｉｉ）書き換え禁止エリアＲＷＲＯＡの更新処理を含む全体処理を示したフローチャートである。
【図１１】本発明の情報記録装置の実施例に係る情報記録再生装置による（ｉ）ＲＯＡ情報の取得処理を示したフローチャートである。
【図１２】本発明の情報記録装置の実施例に係る情報記録再生装置による（ｉｉ）記録処理を示したフローチャートである。
【図１３】本発明の情報記録装置の実施例に係る情報記録再生装置による（ｉｉｉ）書き換え禁止エリアＲＷＲＯＡの更新処理を示したフローチャートである。
【図１４】本発明の第２位置情報の他の具体例を示したテーブルである。
【図１５】本発明の第２位置情報の更に他の具体例を示したテーブルである。
【図１６】本発明の第２位置情報の更に他の具体例を示したテーブルである。
【図１７】本発明の第２位置情報の更に他の具体例を示したテーブルである。
【図１８】本発明の情報記録媒体に係る他の実施例の光ディスクの半径方向における記録領域の構造を図式的に示した概念図である。
【図１９】本発明の情報記録媒体に係る更に他の実施例の光ディスクの半径方向における記録領域の構造を図式的に示した概念図である。
【図２０】本発明の情報記録媒体に係る更に他の実施例の光ディスクの半径方向における記録領域の構造を図式的に示した概念図である。
【符号の説明】
【００８２】
１…センターホール、５０…トラック、５１…ＥＣＣブロック、１００…光ディスク、１０１…リードインエリア、１０２…データエリア、１０３…リードアウトエリア、１０４…ミドルエリア、３００…情報記録再生装置、３０１…光ピックアップ、３０２…信号記録再生手段、３０３…アドレス検出部、３０５…ＣＰＵ（ドライブ制御手段）、３０６…スピンドルモータ、３０７（４０２）…メモリ、３０８（４０６）…データ入出力制御手段、３０９（４０７）…バス、４００…ホストコンピュータ、４０１…ＣＰＵ（ホスト用）、４０３…操作制御手段、４０４…操作ボタン、４０５…表示パネル、ＣＤＺ…コントロールデータゾーン、ＲＭＡ…レコーディングマネージメントエリア、ＲＯＡ…再生専用エリア、ＲＷＲＯＡ…書き換え禁止エリア、ＬＢ…レーザ光
【発明を実施するための最良の形態】
【００８３】
以下、本発明を実施するための最良の形態について実施例毎に順に図面に基づいて説明する。【００８４】
（１）情報記録媒体の実施例
次に、図１から図８を参照して、本発明の情報記録媒体の実施例について詳細に説明する。【００８５】
（１−１）基本構成
先ず、図１を参照して、本発明の情報記録媒体の実施例に係る光ディスクの基本構造について説明する。ここに、図１は、本発明の情報記録媒体の実施例に係る複数の記録領域を有する光ディスクの基本構造を示した概略平面図、及び、該概略平面図に対応付けられた、その半径方向における記録領域構造の図式的概念図である。【００８６】
図１に示されるように、光ディスク１００は、例えば、ＤＶＤと同じく直径１２ｃｍ程度のディスク本体上の記録面に、センターホール１を中心として本実施例に係るリードインエリア１０１、データエリア１０２、及び、リードアウトエリア１０３が設けられている。そして、光ディスク１００の、図示しない例えば透明基板に、少なくとも一つの記録層が積層されている。そして、この記録層の各記録領域には、例えば、センターホール１を中心にスパイラル状或いは同心円状に、例えば、グルーブトラック及びランドトラック等のトラック５０が交互に設けられている。また、このトラック５０上には、記録情報（データ）がＥＣＣブロック５１という単位で分割されて記録される。ＥＣＣ（Error Correction Code）ブロック５１は、記録情報のエラー訂正が可能な記録情報の管理単位である。【００８７】
特に、本実施例に係る光ディスクは、例えばデータエリア等の各種の情報の書き換えが可能な記録領域と、例えばコントロールデータゾーンＣＤＺや、再生専用エリアＲＯＡ（Read Only Area）１やＲＯＡ２等の各種の情報の書き換えが不可能な記録領域とが共存されるハイブリッド型の光ディスクである。【００８８】
尚、本発明は、このような三つのエリアを有する光ディスクには特に限定されない。例えば、リードインエリア１０１、又はリードアウトエリア１０３が存在せずとも、以下に説明するデータ構造等の構築は可能である。また、リードインエリア１０１又はリードアウト１０３は更に細分化された構成であってもよい。【００８９】
（１−２）詳細構成
次に、図２から図８を参照して、本発明の情報記録媒体の実施例に係る光ディスクの詳細構成について説明する。【００９０】
（１−２−１）光ディスクの記録領域の位置を特定可能なアドレス
先ず、図２及び図３を参照して、光ディスクの記録領域と、当該記録領域の位置を特定可能なアドレスとの関係について説明する。ここに、図２は、本発明の情報記録媒体の実施例に係る光ディスクの記録領域と、当該記録領域の位置を特定可能なアドレスとの関係を示した概念的グラフである。図３は、本発明の情報記録媒体の実施例に係る光ディスクの記録領域の一具体例を示した模式的な平面図である。尚、図２中の縦軸は、例えばセクタ番号やランドプリピットアドレス等のアドレスの値を示し、横軸は、光ディスクの半径方向の相対的な位置を示す。また、本願発明に係る「アドレス」の一具体例が、例えばＥＣＣブロックを構成する物理的セクタ番号（セクタ番号）やランドプリピットアドレス（Land Pre Pit Address）によって構成されている。【００９１】
図２及び図３に示されるように、本発明の情報記録媒体の実施例に係る光ディスク１００の記録領域は、内周側から外周側にかけて、（ｉ−１）本発明に係る第２管理エリアの一具体例であるレコーディングマネージメントエリア（Recording Management Area）ＲＭＡ、（ｉ−２）本発明に係る第１管理エリアの一具体例であるコントロールデータゾーン（Control Data Zone）ＣＤＺを有するリードインエリア１０１−０、（ｉｉ）データエリア１０２ａ、（ｉｉｉ）再生専用エリア（Read Only Area）ＲＯＡ１、（ｉｖ）書き換え禁止エリアＲＷＲＯＡ１を有するデータエリア１０２ｂ、（ｖ）再生専用エリアＲＯＡ２、（ｖｉ）データエリア１０２ｃ、並びに、（ｖｉｉ）リードアウトエリア１０３を備えて構成されている。尚、第２管理エリアには、後述される第２位置情報に加えて、各種の管理情報が記録されるようにしてもよい。ここに、管理情報とは、（ｉ）例えば最適記録パワー等の記録特性に関する情報、（ｉｉ）媒体の種類を特定するための属性情報、及び（ｉｉｉ）各種の記録領域の位置を特定するための情報等の、当該情報記録媒体を管理するための各種の情報である。【００９２】
また、図２に示されるように、上述した光ディスク１００の記録領域の位置を一義的に特定可能なアドレスが、例えば、ランドプリピットアドレス（Land Pre Pit Address）である場合、後述される情報記録再生装置の光ピックアップが、内周側から外周側へ移動するにつれて光ディスク１００の記録領域におけるアドレスは減少していくようにしてもよい（図２中の太実線を参照）。或いは、記録領域の位置を一義的に特定可能なアドレスが、例えば、例えばＥＣＣブロックを構成する物理的セクタ番号（セクタ番号）である場合、光ピックアップが、内周側から外周側へ移動するにつれて光ディスク１００の記録領域におけるアドレスは増加していくようにしてもよい（図２中の細点線を参照）。【００９３】
（１−２−２）第１位置情報、及び第２位置情報
次に、図４及び図５を参照して、本発明に係る第１位置情報、及び第２位置情報の一具体例について説明する。ここに、図４は、本発明の第１位置情報の一具体例を示したテーブル（図４（ａ））、及び本発明の第１位置情報に係るＲＯＡ情報のデータ構造の一具体例を示したテーブル（図４（ｂ））である。図５は、本発明の第２位置情報の一具体例を示したテーブル（図５（ａ））、及び本発明の第２位置情報に係るＲＯＡ情報のデータ構造の一具体例を示したテーブル（図５（ｂ））である。【００９４】
図４（ａ）に示されるように、本発明の第１位置情報１０は、複数の再生専用エリアＲＯＡ１からＲＯＡ「ｎ」（但し、ｎは自然数）の位置を夫々特定し管理するために、複数の再生専用エリアに夫々対応した位置情報を複数含むようにしてもよい。即ち、第１位置情報１０は、１番目に、再生専用エリアＲＯＡ１の位置を特定し管理するための位置情報を含み、２番目に、再生専用エリアＲＯＡ２の位置を特定し管理するための位置情報を含み、以下同様にして、・・・、ｎ番目に、再生専用エリア「ｎ」の位置を特定し管理するための位置情報を含むようにしてもよい。尚、第１位置情報１０は、例えばコントロールデータゾーンＣＤＺ（以下、適宜「ＣＤＺ」と称す）にエンボスピットの形成によって予め記録されるようにしてもよい。【００９５】
具体的には、図４（ｂ）に示されるように、第１位置情報の一具体例であるＲＯＡ情報（Read Only Area Information）１０ａは、例えばバイト単位で割り付けられた０から２０４７の番号で指定可能であるデータ位置の０から３番目に、再生専用エリアＲＯＡ１の開始アドレスを含み、データ位置の４から７番目に、再生専用エリアＲＯＡ１の終了アドレスを含むようにしてもよい。同様にして、データ位置の８から１１番目に、再生専用エリアＲＯＡ２の開始アドレスを含み、データ位置の１２から１５番目に、再生専用エリアＲＯＡ２の終了アドレスを含み、・・・、最後に、データ位置の２０４０から２０４３番目に、再生専用エリアＲＯＡ２５６の開始アドレスを含み、データ位置の２０４４から２０４７番目に、再生専用エリアＲＯＡ２５６の終了アドレスを含むようにしてもよい。尚、開始アドレス、及び終了アドレスを示す情報は、例えば４バイト（Ｂｙｔｅｓ）のデータ量を夫々保持するようにしたが、他のデータ量で良いことは言うまでもない。また、データ位置もバイト単位で割り付けられた番号で指定可能であるようにしたが、他の情報量の単位に基づいて指定可能であるようにしてもよい。【００９６】
他方、図５（ａ）に示されるように、本発明の第２位置情報２０は、複数の再生専用エリアＲＯＡ１からＲＯＡ「ｍ」（但し、ｍは自然数）の位置を夫々特定し管理すると共に、複数の書き換え禁止エリアＲＷＲＯＡ１やＲＷＲＯＡ２等の位置を夫々特定し管理するために、複数の再生専用エリア、及び、複数の書き換え禁止エリアに夫々対応した位置情報を複数含むようにしてもよい。即ち、第２位置情報２０は、１番目に、再生専用エリアＲＯＡ１の位置を特定し管理するための位置情報を含み、２番目に、書き換え禁止エリアＲＷＲＯＡ１の位置を特定し管理するための位置情報を含み、３番目に、再生専用エリアＲＯＡ２の位置を特定し管理するための位置情報を含み、以下同様にして、・・・、ｍ番目に、再生専用エリア「ｍ」の位置を特定し管理するための位置情報を含むようにしてもよい。尚、第２位置情報２０は、例えばレコーディングマネージメントエリアＲＭＡ（以下、適宜「ＲＭＡ」と称す）に直接的に記録可能であるようにしてもよい。或いは、第２位置情報２０は、例えばレコーディングマネージメントデータＲＭＤ（以下、適宜「ＲＭＤ」と称す）に含まれ、このＲＭＤを介して間接的に記録可能であるようにしてもよい。【００９７】
具体的には、図５（ｂ）に示されるように、第２位置情報の一具体例であるＲＯＡ情報（Read Only Area Information）２０ａは、ＲＯＡ１０ａと概ね同様にして、データ位置の０から３番目に、再生専用エリアＲＯＡ１の開始アドレスを含み、データ位置の４から７番目に、再生専用エリアＲＯＡ１の終了アドレスを含むようにしてもよい。同様にして、データ位置の８から１１番目に、書き換え禁止エリアＲＷＲＯＡ１の開始アドレスを含み、データ位置の１２から１５番目に、書き換え禁止エリアＲＷＲＯＡ１の終了アドレスを含み、データ位置の１６から１９番目に、再生専用エリアＲＯＡ２の開始アドレスを含み、データ位置の２０から２３番目に、再生専用エリアＲＯＡ２の終了アドレスを含み、・・・、最後に、データ位置の２０４０から２０４３番目に、再生専用エリアＲＯＡ２５４の開始アドレスを含み、データ位置の２０４４から２０４７番目に、再生専用エリアＲＯＡ２５４の終了アドレスを含むようにしてもよい。尚、前述したＲＯＡ情報１０ａと概ね同様にして、開始アドレス、及び終了アドレスを示す情報は、例えば４バイト（Ｂｙｔｅｓ）のデータ量以外の、他のデータ量で良いことは言うまでもない。また、データ位置もバイト単位以外の、他の情報量の単位に基づいて指定可能であるようにしてもよい。【００９８】
（１−２−３）再生専用エリア、及び、書き換え禁止エリアの遷移の一具体例
次に、図６から図８を参照して、再生専用エリア、及び、書き換え禁止エリアの遷移の一具体例について説明する。ここに、図６は、本発明の情報記録媒体の実施例に係る光ディスクの記録領域の４つの遷移の一具体例を示した模式的な平面図（図６（ａ）から図６（ｄ））である。図７は、図６に対応されると共に、本発明の第１位置情報に係るＲＯＡ情報のデータ構造の一具体例を示したテーブルである。図８は、図６に対応されると共に、本発明の第２位置情報に係るＲＯＡ情報のデータ構造の一具体例を示したテーブルである。【００９９】
先ず、図６（ａ）に示されるように、例えば、光ディスクの出荷時には、例えばユーザデータ等の記録情報が、例えばデータエリアに未だ記録されていない状態である。この状態では、ＲＯＡ情報１０ａは、例えばディスク製造メーカーによって、ＣＤＺに予め記録されている。具体的には、図７に示されるように、ＲＯＡ情報１０ａは、データ位置の０から３番目に、再生専用エリアＲＯＡ１の開始アドレス「00FF 598C h」（ｈは１６進数による表示を示す）を含み、データ位置の４から７番目に、再生専用エリアＲＯＡ１の終了アドレス「00FF 4C97 h」を含む。加えて、データ位置の８から１１番目に、再生専用エリアＲＯＡ２の開始アドレス「00FE C78A h」を含み、データ位置の１２から１５番目に、再生専用エリアＲＯＡ２の終了アドレス「00FE A5F5 h」を含む。尚、残りのデータ位置には、「0000 0000 h」が代入されたままである。【０１００】
次に、図６（ｂ）の右斜め線で囲まれるドーナツ形状の領域で示されるように、例えば情報記録再生装置によって、（ｉ）ＲＭＡの最外周端から、（ｉｉ）データエリア１０２ｂに含まれる記録領域のうち、再生専用エリアＲＯＡ２から所定量だけ内周側に位置する記録領域まで、記録情報が記録される。【０１０１】
次に、図６（ｃ）の２つの点線の同心円で挟まれた領域に記録された記録情報を、例えば情報記録装置によって、書き換え禁止エリアＲＷＲＯＡ１として規定し、誤った書き込みを防止したい場合、図８に示されるように、ＲＯＡ情報２０ａが作成され、ＲＭＡに記録される。具体的には、図８に示されるように、ＲＯＡ情報２０ａは、ＲＯＡ情報１０ａと同様にして、データ位置の０から３番目に、再生専用エリアＲＯＡ１の開始アドレス「00FF 598C h」（ｈは１６進数による表示を示す）を含み、データ位置の４から７番目に、再生専用エリアＲＯＡ１の終了アドレス「00FF 4C97 h」を含む。特に、ＲＯＡ情報２０ａは、データ位置の８から１１番目に、書き換え禁止エリアＲＷＲＯＡ１の開始アドレス「00FF 4C96 h」を含み、データ位置の１２から１５番目に、書き換え禁止エリアＲＷＲＯＡ１の終了アドレス「00FF 151B h」を含む。加えて、データ位置の１６から１９番目に、前述したＲＯＡ情報１０ａに含まれる再生専用エリアＲＯＡ２の開始アドレス「00FE C78A h」を含み、データ位置の２０から２３番目に、再生専用エリアＲＯＡ２の終了アドレス「00FE A5F5 h」を含む。尚、残りのデータ位置には、「0000 0000 h」が代入されたままである。【０１０２】
従って、図６（ｄ）に示されるように、情報記録再生装置は、ＲＯＡ情報２０ａに基づいて、ＣＤＺや、再生専用エリアＲＯＡ１及びＲＯＡ２はもちろんのこと、書き換え禁止エリアＲＷＲＯＡ１に対する誤った書き込みを、殆ど又は完全に防止することが可能である。【０１０３】
（２）情報記録装置の実施例
次に、図９から図１３を参照して、本発明の情報記録装置の実施例の構成及び動作について詳細に説明する。特に、本実施例は、本発明に係る情報記録装置を光ディスク用の情報記録再生装置に適用した例である。【０１０４】
（２−１）基本構成
先ず、図９を参照して、本発明の情報記録装置に係る実施例における情報記録再生装置３００及び、ホストコンピュータ４００の基本構成について説明する。ここに、図９は、本発明の情報記録装置の実施例に係る情報記録再生装置、及び、ホストコンピュータの基本構成を示したブロック図である。尚、情報記録再生装置３００は、光ディスク１００に記録データを記録する機能と、光ディスク１００に記録された記録データを再生する機能とを備える。【０１０５】
図９を参照して情報記録再生装置３００の内部構成を説明する。情報記録再生装置３００は、ドライブ用のＣＰＵ（Central Processing Unit）３０５の制御下で、光ディスク１００に情報を記録すると共に、光ディスク１００に記録された情報を読み取る装置である。【０１０６】
情報記録再生装置３００は、光ディスク１００、光ピックアップ３０１、信号記録再生手段３０２、アドレス検出部３０３、アドレス演算部３０４、ＣＰＵ（ドライブ制御手段）３０５、スピンドルモータ３０６、メモリ３０７、データ入出力制御手段３０８、及びバス３０９を備えて構成されている。【０１０７】
また、ホストコンピュータ４００は、ＣＰＵ（ホスト制御手段）４０１、メモリ４０２、操作制御手段４０３、操作ボタン４０４、表示パネル４０５、データ入出力制御手段４０６、及びバス４０７を備えて構成される。【０１０８】
特に、情報記録再生装置３００は、例えばモデム等の通信手段を備えたホストコンピュータ４００を同一筐体内に収めることにより、外部ネットワークと通信可能となるように構成してもよい。或いは、例えばｉ−ｌｉｎｋ等の通信手段を備えたホストコンピュータ４００のＣＰＵ（ホスト制御手段）４０１が、データ入出力制御手段３０８、及びバス３０９を介して、直接情報記録再生装置３００を制御することによって、外部ネットワークと通信可能となるように構成してもよい。【０１０９】
光ピックアップ３０１は光ディスク１００への記録再生を行うもので、半導体レーザ装置とレンズから構成される。より詳細には、光ピックアップ３０１は、光ディスク１００に対してレーザービーム等の光ビームを、再生時には読み取り光として第１のパワーで照射し、記録時には書き込み光として第２のパワーで且つ変調させながら照射する。【０１１０】
信号記録再生手段３０２は、光ピックアップ３０１とスピンドルモータ３０６とを制御することで光ディスク１００に対して記録又は再生を行う。より具体的には、信号記録再生手段３０２は、例えば、レーザダイオードドライバ（ＬＤドライバ）及びヘッドアンプ等によって構成されている。レーザダイオードドライバは、光ピックアップ３０１内に設けられた図示しない半導体レーザを駆動する。ヘッドアンプは、光ピックアップ３０１の出力信号、即ち、光ビームの反射光を増幅し、該増幅した信号を出力する。より詳細には、信号記録再生手段３０２は、ＯＰＣ（Optimum Power Control）処理時には、ＣＰＵ３０５の制御下で、図示しないタイミング生成器等と共に、ＯＰＣパターンの記録及び再生処理により最適なレーザパワーの決定が行えるように、光ピックアップ３０１内に設けられた図示しない半導体レーザを駆動する。特に、信号記録再生手段３０２は、光ピックアップ３０１と共に、本発明に係る「記録手段」、「再生手段」、及び「記録再生手段」の一例を構成する。また、信号記録再生手段３０２は、（ｉ）例えばコントロールデータゾーンＣＤＺにプリ記録されたＲＯＡ情報１０ａを取得可能であるようにしてもよいし、（ｉｉ）例えばレコーディングマネージメントエリアＲＭＡに記録されたＲＯＡ情報２０ａを取得可能であるようにしてもよい。よって、信号記録再生手段３０２は、本発明に係る「取得手段」の一例を構成するようにしてもよい。【０１１１】
アドレス検出部３０３は、信号記録再生手段３０２によって出力される、例えばプリフォーマットアドレス信号等を含む再生信号から光ディスク１００におけるアドレス（アドレス情報）を検出する。【０１１２】
ＣＰＵ（ドライブ制御手段）３０５は、バス３０９を介して、各種制御手段に指示を行うことで、情報記録再生装置３００全体の制御を行う。特に、ＣＰＵ３０５は、信号記録再生手段３０２によって取得された、ＲＯＡ情報１０ａ又はＲＯＡ情報２０ａに基づいて、ＣＤＺや、再生専用エリアＲＯＡ１及びＲＯＡ２はもちろんのこと、書き換え禁止エリアＲＷＲＯＡ１に対する誤った書き込みを、殆ど又は完全に防止することが可能である。また、ＣＰＵ３０５が動作するためのソフトウェア又はファームウェアは、メモリ３０７に格納されている。特に、ＣＰＵ３０５は、本発明に係る「制御手段」の一例を構成する。【０１１３】
スピンドルモータ３０６は光ディスク１００を回転及び停止させるもので、光ディスクへのアクセス時に動作する。より詳細には、スピンドルモータ３０６は、図示しないサーボユニット等によりスピンドルサーボを受けつつ所定速度で光ディスク１００を回転及び停止させるように構成されている。【０１１４】
メモリ３０７は、記録再生データのバッファ領域や、信号記録再生手段３０２で使用出来るデータに変換する時の中間バッファとして使用される領域など情報記録再生装置３００におけるデータ処理全般及びＯＰＣ処理において使用される。また、メモリ３０７はこれらレコーダ機器としての動作を行うためのプログラム、即ちファームウェアが格納されるＲＯＭ領域と、記録再生データの一時格納用バッファや、ファームウェアプログラム等の動作に必要な変数が格納されるＲＡＭ領域などから構成される。【０１１５】
データ入出力制御手段３０８は、情報記録再生装置３００に対する外部からのデータ入出力を制御し、メモリ３０７上のデータバッファへの格納及び取り出しを行う。情報記録再生装置３００と、ＳＣＳＩやＡＴＡＰＩ等のインターフェースを介して接続されている外部のホストコンピュータ４００（以下、適宜ホストと称す）から発行されるドライブ制御命令は、当該データ入出力制御手段３０８を介してＣＰＵ３０５に伝達される。また、記録再生データも同様にして、当該データ入出力制御手段３０８を介して、ホストコンピュータ４００に対して送受信される。【０１１６】
ホストコンピュータ４００における、ＣＰＵ（ホスト制御手段）４０１、メモリ４０２、データ入出力制御手段４０６、及びバス４０７は、これらに対応される、情報記録再生装置３００内の構成要素と、概ね同様である。【０１１７】
操作制御手段４０３は、ホストコンピュータ４００に対する動作指示受付と表示を行うもので、例えば記録又は再生といった操作ボタン４０４による指示をＣＰＵ４０１に伝える。ＣＰＵ４０１は、操作制御手段４０３からの指示情報を元に、データ入出力手段４０６を介して、情報記録再生装置３００に対して制御命令（コマンド）を送信し、情報記録再生装置３００全体を制御するように構成してもよい。同様に、ＣＰＵ４０１は、情報記録再生装置３００に対して、動作状態をホストに送信するように要求するコマンドを送信することができる。これにより、記録中や再生中といった情報記録再生装置３００の動作状態が把握できるためＣＰＵ４０１は、操作制御手段４０３を介して蛍光管やＬＣＤなどの表示パネル４０５に情報記録再生装置３００の動作状態を出力することができる。【０１１８】
以上説明した、情報記録再生装置３００とホストコンピュータ４００を組み合わせて使用する一具体例は、映像を記録再生するレコーダ機器等の家庭用機器である。このレコーダ機器は放送受信チューナや外部接続端子からの映像信号をディスクに記録し、テレビなど外部表示機器にディスクから再生した映像信号を出力する機器である。メモリ４０２に格納されたプログラムをＣＰＵ４０１で実行させることでレコーダ機器としての動作を行っている。また、別の具体例では、情報記録再生装置３００はディスクドライブ（以下、適宜ドライブと称す）であり、ホストコンピュータ４００はパーソナルコンピュータやワークステーションである。パーソナルコンピュータ等のホストコンピュータとドライブはＳＣＳＩやＡＴＡＰＩといったデータ入出力制御手段３０８（４０６）を介して接続されており、ホストコンピュータにインストールされているライティングソフトウェア等のアプリケーションが、ディスクドライブを制御する。【０１１９】
（２−２）動作原理
次に、図１０から図１３に加えて前述した図７から図９を適宜参照して、本発明の情報記録装置の実施例に係る情報記録再生装置における動作原理について説明する。ここに、図１０は、本発明の情報記録装置の実施例に係る情報記録再生装置による（ｉ）ＲＯＡ（Read Only Area）情報の取得処理、（ｉｉ）記録処理、及び（ｉｉｉ）書き換え禁止エリアＲＷＲＯＡの更新処理を含む全体処理を示したフローチャートである。図１１は、本発明の情報記録装置の実施例に係る情報記録再生装置による（ｉ）ＲＯＡ情報の取得処理を示したフローチャートである。図１２は、本発明の情報記録装置の実施例に係る情報記録再生装置による（ｉｉ）記録処理を示したフローチャートである。図１３は、本発明の情報記録装置の実施例に係る情報記録再生装置による（ｉｉｉ）書き換え禁止エリアＲＷＲＯＡの更新処理を示したフローチャートである。【０１２０】
（２−２−１）全体処理
図１０に示されるように、情報記録再生装置の全体処理においては、（ｉ）ＲＯＡ情報の取得処理（ステップＳ１００）、（ｉｉ）記録処理（ステップＳ２００）、及び（ｉｉｉ）書き換え禁止エリアＲＷＲＯＡの更新処理（ステップＳ３００）が、概ね同様に、或いは、相前後して、実行される。【０１２１】
（２−２−２）ＲＯＡ（Read Only Area）情報の取得処理
図１１に示されるように、ＲＯＡ情報の取得処理においては、先ず、ＣＰＵ（ドライブ制御手段）３０５の制御下で、光ディスクが挿入されたか否かが判定される（ステップＳ１０１）。ここで、光ディスクが挿入された場合（ステップＳ１０１：Ｙｅｓ）、ＣＰＵ３０５の制御下で、ＣＤＺに予め記録されているＲＯＡ情報１０ａが読み取られる（ステップＳ１０２）。【０１２２】
次に、ＣＰＵ３０５の制御下で、プリフォーマットされたランドプリピット（ＬＰＰ：Land Pre Pit）によって、記録又は再生のためのクロックが生成できない記録領域における、開始アドレスや終了アドレスが取得される（ステップＳ１０３）。特に、ＣＰＵ３０５の制御下で、このように取得された記録又は再生のためのクロックが生成できない記録領域の開始アドレスや終了アドレスに基づいて、当該記録領域に記録された記録情報の再生により得られる再生信号から、クロック信号が生成され、ランドプリピットに基づいて記録又は再生を開始可能な記録領域を知ることが可能であるようにしてもよい。【０１２３】
次に、ＣＰＵ３０５の制御下で、ＲＭＡに記録されている、最新のＲＭＤ（Recording Management Data）が再生され、ＲＯＡ情報２０ａが読み取られる（ステップＳ１０４）。【０１２４】
次に、ＣＰＵ３０５の制御下で、読み取られたＲＯＡ情報２０ａは、ゼロ、又は、ｎｕｌｌではなく、再生専用エリア又は書き換え禁止エリアにおける開始アドレス又は終了アドレスが記録されているか否かが判定される（ステップＳ１０５）。ここで、読み取られたＲＯＡ情報２０ａは、ゼロ、又は、ｎｕｌｌではなく、再生専用エリア又は書き換え禁止エリアにおける開始アドレス又は終了アドレスが記録されている場合（ステップＳ１０５：Ｙｅｓ）、ＣＰＵ３０５の制御下で、最新のＲＭＤに含まれるＲＯＡ情報２０ａから、書き換え禁止エリアＲＷＲＯＡ１の位置を示す開始アドレス又は終了アドレスが把握される（ステップＳ１０７）。【０１２５】
他方、ステップＳ１０５の判定の結果、読み取られたＲＯＡ情報２０ａは、ゼロ、又は、ｎｕｌｌであり、再生専用エリア又は書き換え禁止エリアにおける開始アドレス又は終了アドレスが記録されていない場合（ステップＳ１０５：Ｎｏ）、ＣＰＵ３０５の制御下で、ＣＤＺから読み取られたＲＯＡ情報１０ａを含むＲＭＤを、最新のＲＭＤとして、ＲＭＡに記録する（ステップＳ１０６）。また、他方、ステップＳ１０１の判定の結果、光ディスクが挿入されない場合（ステップＳ１０１：Ｎｏ）、再度、光ディスクが挿入されたか否かが判定される（ステップＳ１０１）。【０１２６】
（２−２−３）記録処理
図１２に示されるように、記録処理においては、先ず、ＣＰＵ３０５の制御下で、ホストコンピュータから、記録処理を開始させる、例えばライトコマンドが発呼されたか否かが判定される（ステップＳ２０１）。ここで、記録処理を開始させるライトコマンドが発呼された場合（ステップＳ２０１：Ｙｅｓ）、ＣＰＵ３０５の制御下で、例えば記録領域内において記録を開始するアドレス（以下、「記録開始アドレス」と称す）が取得される（ステップＳ２０２）。【０１２７】
次に、ＣＰＵ３０５の制御下で、ＲＯＡ情報２０ａに基づいて、取得された記録開始アドレスが、再生専用エリアＲＯＡ、又は、書き換え禁止エリアＲＷＲＯＡの内部に存在するか否か判定される（ステップＳ２０３）。ここで、取得された記録開始アドレスが、再生専用エリアＲＯＡ、又は、書き換え禁止エリアＲＷＲＯＡの内部に存在する場合（ステップＳ２０３：Ｙｅｓ）、更に、ＣＰＵ３０５の制御下で、記録を中止するか否かが判定される（ステップＳ２０４）。ここで、記録を中止しない場合（ステップＳ２０４：Ｎｏ）、再生専用エリアＲＯＡ、又は、書き換え禁止エリアＲＷＲＯＡの外部に、記録開始アドレスが変更される（ステップＳ２０５）。【０１２８】
次に、ＣＰＵ３０５の制御下で、例えば記録開始アドレスから、記録情報の記録が行われる（ステップＳ２０６）。【０１２９】
次に、ＣＰＵ３０５の制御下で、記録情報が記録されているアドレスが、例えばリアルタイムで確認される（ステップＳ２０７）。と同時に、又は、相前後して、ＣＰＵ３０５の制御下で、記録情報の記録を終了するか否かが判定される（ステップＳ２０８）。ここで、記録情報の記録を終了しない場合（ステップＳ２０８：Ｎｏ）、ＣＰＵ３０５の制御下で、記録情報が記録されている位置が、再生専用エリアＲＯＡ、又は、書き換え禁止エリアＲＷＲＯＡの内部に突入するか否かが判定される（ステップＳ２０９）。特に、例えば、前述したステップＳ２０２における記録開始アドレスの取得と同時に又は相前後して、ＣＰＵ３０５の制御下で、予定されている記録情報の情報量と、記録開始アドレスとに基づいて、記録情報の記録予定の位置が、再生専用エリアＲＯＡ、又は、書き換え禁止エリアＲＷＲＯＡの内部に突入するか否かが判定されるようにしてもよい。ここで、記録情報が記録されている位置が、再生専用エリアＲＯＡ、又は、書き換え禁止エリアＲＷＲＯＡの内部に突入する場合（ステップＳ２０９：Ｙｅｓ）、ＣＰＵ３０５の制御下で、記録が中断される（ステップＳ２１０）。そして、前述したように、ＣＰＵ３０５の制御下で、記録を中止するか否かが判定されるようにしてもよい（ステップＳ２０４）。【０１３０】
他方、ステップＳ２０９の判定の結果、記録情報が記録されている位置が、再生専用エリアＲＯＡ、又は、書き換え禁止エリアＲＷＲＯＡの内部に突入しない場合（ステップＳ２０９：Ｎｏ）、前述したように、ＣＰＵ３０５の制御下で、記録情報の記録が継続して行われる（ステップＳ２０６）。同様にして、ステップＳ２０３の判定の結果、取得された記録開始アドレスが、再生専用エリアＲＯＡ、又は、書き換え禁止エリアＲＷＲＯＡの内部に存在しない場合（ステップＳ２０３：Ｎｏ）、前述したように、ＣＰＵ３０５の制御下で、記録情報の記録が継続して行われる（ステップＳ２０６）。【０１３１】
また、他方、ステップＳ２０４の判定の結果、記録を中止する場合（ステップＳ２０４：Ｙｅｓ）、又は、記録情報の記録を終了する場合（ステップＳ２０８：Ｙｅｓ）、一連の記録処理は、終了される。【０１３２】
（２−２−４）書き換え禁止エリアの更新処理
図１３に示されるように、書き換え禁止エリアＲＷＲＯＡの更新処理においては、先ず、ＣＰＵ３０５の制御下で、例えばホストコンピュータから、書き換え禁止エリアＲＷＲＯＡを更新させるコマンドが発呼されたか否かが判定される（ステップＳ３０１）。特に、ＣＰＵ３０５が、所定のタイミングや所定のイベントに対応して、自らこの判定を行うようにしてもよい。【０１３３】
次に、ＣＰＵ３０５の制御下で、新しく定義される書き換え禁止エリアＲＷＲＯＡの開始アドレス、及び終了アドレスが取得される（ステップＳ３０２）。【０１３４】
次に、最新のＲＭＤに含まれるＲＯＡ情報２０ａに対して、新しく定義される書き換え禁止エリアＲＷＲＯＡの位置を示す開始アドレス、及び終了アドレスが追加され、最新のＲＭＤとして、ＲＭＡに記録される（ステップＳ３０３）。具体的には、前述した図７及び図８に示されるように、書き換え禁止エリアＲＷＲＯＡ１の開始アドレス「00FF 4C96 h」、及び終了アドレス「00FF 151B h」が、ＲＯＡ情報２０ａに追加され、このＲＯＡ情報２０ａを含むＲＭＤが、最新のＲＭＤとして、ＲＭＡに記録される。【０１３５】
尚、上述した書き換え禁止エリアの更新処理は、情報記録再生装置における、例えばメモリ等の記憶手段の上で行われて、例えば光ディスクの排出時に、ＲＭＡに記録されるようにしてもよい。或いは、情報記録再生装置によって、更新が行われる都度、光ディスクのＲＭＡ上において、直接的に、ＲＯＡ情報２０ａの更新のための記録が行われるようにしてもよい。【０１３６】
（３）第２位置情報の他の具体例
次に、図１４から図１７を参照して、本発明に係る第２位置情報の他の具体例について説明する。ここに、図１４は、本発明の第２位置情報の他の具体例を示したテーブルである。図１５は、本発明の第２位置情報の更に他の具体例を示したテーブルである。図１６は、本発明の第２位置情報の更に他の具体例を示したテーブルである。図１７は、本発明の第２位置情報の更に他の具体例を示したテーブルである。【０１３７】
（３−１）第２位置情報の他の具体例−その１−
図１４（ａ）に示されるように、ＲＯＡ情報２０ａの、例えば開始アドレス又は終了アドレス等のアドレスの値の最上位のデータ位置（最上位のバイト）を使ってＲＯＡかＲＷＲＯＡを識別してもよい。例えば記録領域はＲＯＡである場合、当該記録領域の開始アドレスの最上位バイトは「００」とするようにしてもよし、例えば記録領域がＲＷＲＯＡである場合、当該記録領域の最上位バイトは「１０」とするようにしてもよい。【０１３８】
より具体的には、図１４（ｂ）に示されるように、ＲＯＡ情報２０ａにおいて、ＲＯＡ１の開始アドレス及び終了アドレスを夫々示す、データ位置「０〜３バイトの値」及び、データ位置「４〜７バイトの値」は、「００ＦＦ ５９８Ｃ ｈ」及び「００ＦＦ ４Ｃ９７ ｈ」を夫々示すようにしてもよい。他方、ＲＷＲＯＡ１の開始アドレス及び終了アドレスを夫々示す、データ位置「８〜１１バイトの値」及び、データ位置「１２〜１５バイトの値」は、「１０ＦＦ ４Ｃ９６ ｈ」と「１０ＦＦ １５１Ｂ ｈ」を夫々示すようにしてもよい。この結果、最上位のデータ位置（最上位のバイト）が「００」又は「１０」であるかを識別することによって、「ＲＯＡ」又は「ＲＷＲＯＡ」であるかを識別することができるようにしてもよい。【０１３９】
（３−２）第２位置情報の他の具体例−その２−
図１５に示されるように、本発明の第２位置情報２０ｂは、複数の再生専用エリアＲＯＡ１からＲＯＡ「ｍ」（但し、ｍは自然数）の位置を夫々特定し管理すると共に、複数の書き換え禁止エリアＲＷＲＯＡ１からＲＷＲＯＡｎ（但し、ｎは自然数）の位置を夫々特定し管理するために、次の２種類の情報を含むようにしてもよい。即ち、第２位置情報２０ｂは、（ｉ）複数の再生専用エリア、又は、複数の書き換え禁止エリアに夫々対応した、複数の位置情報、並びに（ｉｉ）当該位置情報が、再生専用エリア及び書き換え禁止エリアのうちいずれか一方に対応されることを示す識別情報を含むようにしてもよい。より詳細には、第２位置情報２０ｂは、１番目に、一の再生専用エリア又は書き換え禁止エリアの位置を特定し管理するための位置情報を含み、２番目に、当該１番目の位置情報が、再生専用エリア及び書き換え禁止エリアのうちいずれか一方に対応されることを示す識別情報を含む。３番目に、他の再生専用エリア又は書き換え禁止エリアの位置を特定し管理するための位置情報を含み、４番目に、当該３番目の位置情報が、再生専用エリア及び書き換え禁止エリアのうちいずれか一方に対応されることを示す識別情報を含む。以下、同様にして、・・・例えば「２ｍ＋２ｎ−１」番目に、他の再生専用エリアＲＯＡ「ｍ」又は書き換え禁止エリアＲＷＲＯＡ「ｎ」の位置を特定し管理するための位置情報を含み、「２ｍ＋２ｎ」番目に、当該「２ｍ＋２ｎ−１」番目の位置情報が、再生専用エリアＲＯＡ「ｍ」及び書き換え禁止エリアＲＷＲＯＡ「ｎ」のうちいずれか一方に対応されることを示す識別情報を含む。【０１４０】
第２位置情報２０ｂによれば、例えば１ビットの情報量等の少ない情報量の識別情報によって、位置情報が再生専用エリア、又は書き換え禁止エリアに対応されるのかを識別できるので、第２位置情報の２０ｂの情報量の低減を実現可能である。尚、第２位置情報２０ｂの具体的なデータ構造は、第２位置情報２０ｂに含まれる、例えば少ない情報量で済むフラグ等の識別情報の種類や、アドレス情報のデータ量等に基づいて、適切に決定されるようにしてもよい。【０１４１】
（３−３）第２位置情報の他の具体例−その３−
図１６に示されるように、本発明の第２位置情報２０ｃは、複数の再生専用エリアＲＯＡ１からＲＯＡ「ｍ」（但し、ｍは自然数）の位置を夫々特定し管理すると共に、複数の書き換え禁止エリアＲＷＲＯＡ１からＲＷＲＯＡｎ（但し、ｎは自然数）の位置を夫々特定し管理するために、次の２種類の情報を含むようにしてもよい。即ち、第２位置情報２０ｃは、（ｉ）複数の再生専用エリアに夫々対応した複数の位置情報のための一のフィールド、並びに（ｉｉ）複数の書き換え禁止エリアに夫々対応した複数の位置情報のための他のフィールドを含むようにしてもよい。より詳細には、第２位置情報２０ｃの一のフィールドにおける、１番目に、再生専用エリアＲＯＡ１の位置情報を含み、２番目に、再生専用エリアＲＯＡ２の位置を特定し管理するための位置情報を含み、以下同様にして、・・・、ｎ番目に、再生専用エリア「ｎ」の位置を特定し管理するための位置情報を含むようにしてもよい。他方、第２位置情報２０ｃの他のフィールドにおける、１番目に、書き換え禁止エリアＲＷＲＯＡ１の位置情報を含み、２番目に、書き換え禁止エリアＲＷＲＯＡ２の位置を特定し管理するための位置情報を含み、以下同様にして、・・・、ｍ番目に、書き換え禁止エリア「ｍ」の位置を特定し管理するための位置情報を含むようにしてもよい。【０１４２】
第２位置情報２０ｃによれば、目的に応じて必要なフィールドを参照すればよいので、言い換えると、一のフィールドによって、再生専用エリアに対応される位置情報を把握可能であり、他方、他のフィールドによって、書き換え禁止エリアに対応される位置情報を把握可能であるので、例えば情報記録再生装置による、第２位置情報の２０ｃの処理速度の向上を実現可能である。尚、第２位置情報２０ｃの具体的なデータ構造は、例えば第２位置情報２０ｃに含まれる各種の情報の情報量に基づいて、適切に決定するようにしてもよい。【０１４３】
（３−４）第２位置情報の他の具体例−その４−
図１７に示されるように、本発明の第２位置情報２０ｄは、複数の再生専用エリアＲＯＡ１からＲＯＡ「ｍ」（但し、ｍは自然数）の位置を夫々特定し管理すると共に、複数の書き換え禁止エリアＲＷＲＯＡ１からＲＷＲＯＡｎ（但し、ｎは自然数）の位置を夫々特定し管理するために、次の３種類の情報を含むようにしてもよい。即ち、第２位置情報２０ｄは、（ｉ）複数の再生専用エリア、又は、複数の書き換え禁止エリアに夫々対応した、複数の位置情報、（ｉｉ）当該位置情報が、更新された更新時間に関する情報、並びに（ｉｉｉ）当該更新の成功の可否を示す情報を含むようにしてもよい。より詳細には、第２位置情報２０ｄは、１番目に、例えば一の再生専用エリアＲＯＡ１の位置を特定し管理するための位置情報を含み、２番目に、当該１番目の位置情報が、更新された更新時間を含み、３番目に、当該更新の成功の可否を示す情報を含む。４番目に、例えば一の書き換え禁止エリアＲＷＲＯＡ１の位置を特定し管理するための位置情報を含み、５番目に、当該４番目の位置情報が、更新された更新時間を含み、６番目に、当該更新の成功の可否を示す情報を含む。以下、同様にして、例えば「３ｍ＋３ｎ−２」番目に、他の再生専用エリアＲＯＡ「ｍ」又は書き換え禁止エリアＲＷＲＯＡ「ｎ」の位置を特定し管理するための位置情報を含み、「３ｍ＋３ｎ−１」番目に、当該「３ｍ＋３ｎ−２」番目の位置情報が、更新された更新時間を含み、「３ｍ＋３ｎ」番目に、当該更新の成功の可否を示す情報を含む。【０１４４】
つまり、過去の書き換え禁止エリアの記録情報に基づいて、記録情報の更新に失敗しても、更新動作前の記録情報に復元することが可能なように、過去の書き換え禁止エリアの記録情報を保持しているのである。従って、本発明の構成により、例えば、プログラムのバージョンアップに失敗した場合に、元のプログラムに復元することも可能である。【０１４５】
第２位置情報２０ｄによれば、例えば更新時間に基づいて、再生専用エリアＲＯＡと、書き換え禁止エリアとを識別することも可能である。また、所定の世代の第２位置情報２０ｄを、例えば、他のエリアに退避させることで、例えば情報記録再生装置によって、今現在取得されている第２位置情報２０ｄに加えて、当該所定の世代の第２位置情報２０ｄを判別させることで、書き換え禁止エリアの位置における時系列的な変化を考慮した世代管理を実現することが可能である。尚、他のエリアに退避された、所定の世代より古い第２位置情報２０ｄは、書き換え可能（削除可能、即ち、復元不可能）であるようにしてもよい。従って、記録領域の記録容量を節約することが可能である。【０１４６】
つまり、本発明の構成により、所定の世代までの、即ち、所定時間（以内）だけ遡って、過去の記録情報を復元することが可能となるのである。【０１４７】
（４）情報記録媒体の他の実施例
次に、図１８から図２０を参照して、本発明の情報記録媒体に係る他の実施例について説明する。ここに、図１８は、本発明の情報記録媒体に係る他の実施例の光ディスクの半径方向における記録領域の構造を図式的に示した概念図である。図１９は、本発明の情報記録媒体に係る更に他の実施例の光ディスクの半径方向における記録領域の構造を図式的に示した概念図である。図２０は、本発明の情報記録媒体に係る更に他の実施例の光ディスクの半径方向における記録領域の構造を図式的に示した概念図である。【０１４８】
他の実施例の光ディスク１００ａは、図１８に示されるように、例えば、図示しない透明基板に、２つの記録層、即ち、Ｌ０層及びＬ１層が積層された構造をしている。Ｌ０層は、内周側から外周側に向かって、ＲＭＡ、ＣＤＺを含むリードインエリア１０１−０、再生専用エリアＲＯＡ、及び、ミドルエリア１０４−０を備えて構成されている。他方、Ｌ１層は、外周側から内周側に向かって、ミドルエリア１０４−１、書き換え禁止エリアＲＷＲＯＡ１を含むデータエリア１０２−１、及び、リードアウトエリア１０３−１を備えて構成されている。このような二層型の光ディスク１００の再生時には、図１７中、下側から上側に向かって照射されるレーザ光の集光位置をいずれの記録層に合わせるかに応じて、Ｌ０層における記録又は再生が行なわれるか、或いは、Ｌ１層における記録又は再生が行われる。尚、オポジット方式における記録又は再生順番は、先ず、レーザ光が照射される側から見て奥側に位置する記録層の内周側から外周側へ向かって再生され、続いて、レーザ光が照射される側から見て手前側に位置する記録層の外周側から内周側へ向かって再生されるようにしてもよい。或いは、Ｌ０層の記録又は再生順番と、Ｌ１層の記録又は再生順番とが同じであるパラレル方式を採用してもよい。【０１４９】
一般的に、グルーブトラックにおける記録状態又は未記録状態と比較して、エンボスピットで形成された再生専用エリアの方が、レーザ光の照射される側から見て奥側に位置される記録層に対する光透過率が下がる。よって、再生専用エリアを介して記録する場合の最適記録パワーは、グルーブ部を介して記録する場合よりも大きくなる。したがって、手前の層に再生専用エリアと記録可能エリアが多く混在していると、奥側の層に記録する場合に、手前の層のエリアに応じて行われる最適記録パワーの制御が複雑になる。【０１５０】
よって、再生専用エリアＲＯＡが、レーザ光が照射される側から見て、複数の記録層のうち、手前に位置する記録層においてひとつのブロックとして配置されるように構成してもよい。この結果、ある半径位置あるいはアドレスで手前の層の再生専用エリアが特定されるので、奥側の層へ記録する際の最適記録パワーはその場所で切り替えればよく、最適記録パワー制御が簡便となる。【０１５１】
また、図１８に示されるように、再生専用エリアＲＯＡが、レーザ光が照射される側から見て、複数の記録層のうち、手前に位置する記録層のすべてに配置されるように構成してもよい。この結果、手前の層は再生専用エリアでしかないため、奥側の層への記録は再生専用エリアを介して記録する場合の最適記録パワーで記録すれば良いことになり、手前側の層のエリアに応じた最適記録パワーの制御を不要とすることも可能である。【０１５２】
加えて、図１９に示されるように、複数の情報を夫々記録するための、例えば３層以上の複数の記録層を備えており、複数の記録層のうち、少なくとも一の記録層は、書き換え禁止エリアＲＷＲＯＡ１を含むデータエリアを備えるようにしてもよい。【０１５３】
更に、加えて、図２０に示されるように、再生専用エリアＲＯＡが、レーザ光が照射される側から見て、複数の記録層のうち、奥側に位置する記録層の一部（所定領域）に配置されるように構成してもよい。この結果、レーザ光の照射される側から見て手前の層にはエンボスピットで形成される再生専用エリアが無いため、手前に位置される記録層のグルーブエリアあるいはエンボスエリアの違いによる光透過率の違いに影響されることなく、最適記録パワーの調整をより簡便化させて行うことが可能である。つまり、レーザ光の照射される側から見て奥側に位置される記録層の記録可能エリアにおいては、エンボスピットで形成された再生専用エリアを介さずに記録できるため、最適記録パワーの調整を殆ど又は完全に不要とすることも可能である。【０１５４】
上述した実施例によれば、光ディスク等の情報記録媒体は、再生専用エリアと、データエリアと、第１管理エリアと、第２管理エリアとを備える。この結果、第１位置情報に基づいて、位置が固定された再生専用エリアへの誤った書き込みを防止することが可能であると共に、第２位置情報に基づいて、例えば位置が可変である書き換え禁止エリアへの誤った書き込みを防止することが可能である。即ち、当該情報記録媒体における再生専用エリアの位置を静的に管理することが可能であると共に、当該情報記録媒体における書き換え禁止エリアの位置を動的に管理することが可能である。【０１５５】
上述した実施例では、情報記録媒体の一具体例として、例えばブルーレイ、赤色ＬＤ光、又は赤外光等のレーザ光によって記録又は再生が可能な、単層型、２層型又は３層型の光ディスクについて説明した。加えて、本発明は、例えば、４層以上の記録層を備える多層型（マルチプルレイヤ型）の光ディスクにも適用可能である。更に、他の高密度記録或いは高転送レート対応の各種の情報記録媒体にも適用可能である。【０１５６】
また、上述した実施例では、情報記録装置、及び情報再生装置の一具体例として、例えば単層型の光ディスクに対応した情報記録再生装置について説明した。加えて、本発明は、例えば、２層以上の記録層を備える多層型（マルチプルレイヤ型）の光ディスクに対応した情報記録再生装置にも適用可能である。更に、他の高密度記録或いは高転送レート対応の各種の情報記録媒体に対応した情報記録再生装置にも適用可能である。【０１５７】
本発明は、上述した実施例に限られるものではなく、請求の範囲及び明細書全体から読み取れる発明の要旨或いは思想に反しない範囲で適宜変更可能であり、そのような変更を伴う、情報記録媒体、情報記録装置及び方法、情報再生装置及び方法、並びに、コンピュータプログラムもまた本発明の技術的範囲に含まれるものである。
【産業上の利用可能性】
【０１５８】
本発明に係る情報記録媒体、情報記録装置及び方法、情報再生装置及び方法、並びに、コンピュータプログラムは、例えば、ＤＶＤ、ＢＤ、及びＣＤ等の情報記録媒体に利用可能であり、更にＤＶＤレコーダ又はプレーヤ等の情報記録装置、情報再生装置等に利用可能である。また、例えば民生用或いは業務用の各種コンピュータ機器に搭載される又は各種コンピュータ機器に接続可能な情報記録装置又は情報再生装置等にも利用可能である。
【図１】
0004425312.tif 000002
【図２】
0004425312.tif 000003
【図３】
0004425312.tif 000004
【図４】
0004425312.tif 000005
【図５】
0004425312.tif 000006
【図６】
0004425312.tif 000007
【図７】
0004425312.tif 000008
【図８】
0004425312.tif 000009
【図９】
0004425312.tif 000010
【図１０】
0004425312.tif 000011
【図１１】
0004425312.tif 000012
【図１２】
0004425312.tif 000013
【図１３】
0004425312.tif 000014
【図１４】
0004425312.tif 000015
【図１５】
0004425312.tif 000016
【図１６】
0004425312.tif 000017
【図１７】
0004425312.tif 000018
【図１８】
0004425312.tif 000019
【図１９】
0004425312.tif 000020
【図２０】
0004425312.tif 000021